(57)【要約】【課題】フック材で指等を傷めることなく、ファスニング基材の先端部をしっかりと掴んでフック材の係合作業を行うことができる使い捨ておむつを提供する。【解決手段】この使い捨ておむつでは、おむつ本体１１の後方側の左右両側の縁部に、左右のファスニング部材１２が設けられている。その各ファスニング部材１２のファスニング基材２１におけるフック材２２の横方向Ｘの外方側の部分につまみ部２１３が設けられる。フック材２２の横方向Ｘの外方側の側縁２２ａの少なくも一部が、横方向Ｘの内方側に窪んでいる。【選択図】図２
2011156309.tif 000002
【特許請求の範囲】
【請求項１】
液体を吸収する吸収コアを有し、着用者の股部を含む領域にあてがわれるおむつ本体と、
略シート状の部材により形成され、前記おむつ本体の縦方向の後方側の部分における横方向の両側の縁部にそれぞれ接合され、前記おむつ本体から前記横方向の外方側に延びる左右のファスニング基材と、
複数のフック構造を有し、前記左右のファスニング基材の肌面側にそれぞれ設けられたフック材と、
前記フック材の前記フック構造が着脱自在に係合される複数のループ構造を有し、前記おむつ本体の前方側の部分における外面側に設けられるループ材と、
を備え、
前記左右のファスニング基材における前記フック材の前記横方向の外方側の部分につまみ部が設けられ、
前記フック材の前記横方向の外方側の側縁の少なくも一部が、前記横方向の内方側に窪んでいることを特徴とする使い捨ておむつ。
【請求項２】
請求項１に記載の使い捨ておむつにおいて、
前記左右のファスニング基材は、
前記横方向の内方側が前記おむつ本体と接合された本体部と、
前記縦方向に間隔をあけて前記本体部から前記横方向の外方側に延設された２つの舌片部と、
を備え、
前記フック材は、前記ファスニング基材の前記各舌片部にそれぞれ設けられ、
前記つまみ部は、前記各舌片部における前記フック材の前記横方向の外方側に設けられることを特徴とする使い捨ておむつ。
【発明の詳細な説明】
【技術分野】
【０００１】
本発明は、所謂テープタイプの使い捨ておむつに関する。
【背景技術】
【０００２】
テープタイプの使い捨ておむつでは、ファスニングテープとして粘着テープを用いたものから面ファスナーを用いたものへの移行が進んでいる（例えば、特許文献１参照）。この種の面ファスナーを用いた使い捨ておむつでは、図９に示すように、おむつ本体１の縦方向の後方側における横方向の両側に、左右のファスニング部材２が設けられている。ファスニング部材２は、略シート状のファスニング基材３と、そのファスニング基材３に付与されたフック材４とを備えて構成されている。おむつ本体１の外面側における縦方向の前方側の領域には、ファスニング部材２のフック材４が着脱自在に係合される略シート状のループ材が付与されている。また、図９に示す構成では、ファスニング基材３におけるフック材４よりも横方向の外方側の部分に、フック材４の設けられていないつまみ部５が設けられている。
【０００３】
そして、ファスニング部材２をループ材に係合させる際には、ファスニング基材３のつまみ部５を掴んで引っ張りながら、フック材４をループ材に係合させる。特に大人用のおむつでは、ファスニング基材３をしっかりと掴んで強い力で引っ張らなければならない場合がある。
【先行技術文献】
【特許文献】
【０００４】
【特許文献１】特開２００７−１６７１３１号公報
【発明の概要】
【発明が解決しようとする課題】
【０００５】
しかしながら、上述の図９に示す従来の構成では、ファスニング基材３に設けられるつまみ部５の面積が小さいため、ファスニング部材２をしっかりと掴むためには、つまみ部５の面積では足りず、指がフック材４の設けられた部分にかかってしまう場合がある。フック材４は硬い小さなフック構造が多数設けられているため、フック材４に指がかかると、指先の荒れ又は皮が剥ける等を生じることがある。また、作業者が手に樹脂フィルム製の手袋を装着している場合には、フック材４により手袋に穴があくおそれもある。なお、改善策として、ファスニング基材３のつまみ部５が設けられる部分の横方向Ｘの長さを拡大することによりつまみ部５の面積を拡大する方法が考えられるが、この方法ではファスニング基材３の使用面積が増大し、資材コストが増大する。
【０００６】
そこで、本発明の解決すべき課題は、フック材で指等を傷めることなく、ファスニング基材の先端部をしっかりと掴んでフック材の係合作業を行うことができる使い捨ておむつを提供することである。
【課題を解決するための手段】
【０００７】
上記の課題を解決するため、請求項１の発明では、液体を吸収する吸収コアを有し、着用者の股部を含む領域にあてがわれるおむつ本体と、略シート状の部材により形成され、前記おむつ本体の縦方向の後方側の部分における横方向の両側の縁部にそれぞれ接合され、前記おむつ本体から前記横方向の外方側に延びる左右のファスニング基材と、複数のフック構造を有し、前記左右のファスニング基材の肌面側にそれぞれ設けられたフック材と、前記フック材の前記フック構造が着脱自在に係合される複数のループ構造を有し、前記おむつ本体の前方側の部分における外面側に設けられるループ材とを備え、前記左右のファスニング基材における前記フック材の前記横方向の外方側の部分につまみ部が設けられ、前記フック材の前記横方向の外方側の側縁の少なくも一部が、前記横方向の内方側に窪んでいる。
【０００８】
また、請求項２の発明では、請求項１の発明に係る使い捨ておむつにおいて、前記左右のファスニング基材は、前記横方向の内方側が前記おむつ本体と接合された本体部と、前記縦方向に間隔をあけて前記本体部から前記横方向の外方側に延設された２つの舌片部とを備え、前記フック材は、前記ファスニング基材の前記各舌片部にそれぞれ設けられ、前記つまみ部は、前記各舌片部における前記フック材の前記横方向の外方側に設けられる。
【発明の効果】
【０００９】
請求項１に記載の発明に係る使い捨ておむつによれば、左右のファスニング基材におけるフック材の横方向の外方側の部分につまみ部が設けられるとともに、フック材の横方向の外方側の側縁の少なくも一部が横方向の内方側に窪んでいる。それ故、ファスニング基材の先端部に設けられるつまみ部に、指でしっかりと掴むための十分な面積を確保できる。その結果、フック材で指等を傷めることなく、ファスニング基材の先端部をしっかりと掴んでフック材の係合作業を行うことができる。
【００１０】
請求項２に記載の発明によれば、フック材で指等を傷めることなく、ファスニング基材の各舌片部の先端部をしっかりと掴んでフック材の係合作業を行うことができる。
【図面の簡単な説明】
【００１１】
【図１】本発明の一実施形態に係る使い捨ておむつの装着状態を示す斜視図である。
【図２】図１の使い捨ておむつのファスニング部材の構成を示す図である。
【図３】図２に示す構成の第１の変形例を示す図である。
【図４】図２に示す構成の第２の変形例を示す図である。
【図５】図２に示す構成の第３の変形例を示す図である。
【図６】図２に示す構成の第４の変形例を示す図である。
【図７】図２に示す構成の第５の変形例を示す図である。
【図８】図２に示す構成の第６の変形例を示す図である。
【図９】従来の使い捨ておむつのファスニング部材の構成を示す図である。
【発明を実施するための形態】
【００１２】
図１及び図２を参照して、本発明の一実施形態に係る使い捨ておむつ（以下、単に「おむつ」という）について説明する。
【００１３】
このおむつ１０は、図１及び図２に示すように、おむつ本体１１と、左右のファスニング部材１２と、ループ材１３とを備えて構成されている。おむつ本体１１は、着用者が排泄した排泄液（例えば、尿又は便に含まれる水分等）を吸収する吸収コア等を有し、着用者の股部を含む領域にあてがわれる。
【００１４】
左右のファスニング部材１２は、おむつ本体１１の縦方向Ｙの後方側に位置する後方側の部分における横方向Ｘの両側の縁部に接合され、おむつ１の着用者の体への固定に用いられる。より具体的には、各ファスニング部材１２は、図２に示すように、ファスニング基材２１と、フック材２２とを備えている。
【００１５】
ファスニング基材２１は、不織布等により形成された略シート状の部材であり、本体部２１１と上側及び下側の舌片部２１２とを有している。本体部２１１の横方向Ｘの内方側の部分は、接着剤等の接合手段によりおむつ本体１１と接合される。上側及び下側の舌片部２１２は、本体部２１１の横方向Ｘの外方側の端部から縦方向Ｙに間隔をあけて横方向Ｘの外方側に延設されている。各舌片部２１２の肌面側には、後述するフック材２２が接着剤、超音波溶着又は加熱溶着等の接合手段により接合されている。また各舌片部２１２におけるフック材２２の横方向Ｘの外方側の部分（フック材２２が設けられていない部分）には、つまみ部２１３が設けられている。このつまみ部２１３は、ファスニング部材１２を後述するループ材１３に着脱する際に作業者がファスニング基材２１を掴むための部分である。図２に示す構成では、つまみ部２１３の外縁は、略Ｕ字形又は略円弧状等の丸みを有する形状となっている。
【００１６】
フック材２２は、その肌面側に複数のフック構造が設けられた略シート状の形態を有し、後述のループ材１３に対して着脱自在に係合する。また、フック材２２の横方向Ｘの外方側の側縁２２ａの少なくも一部は、横方向Ｘの内方側に窪んでいる。これにより、ファスニング基材２１の舌片部２１２の先端部に設けられるつまみ部２１３に、指でしっかりと掴むための十分な面積が確保できるようになっている。図２に示す構成では、フック材２２の横方向Ｘの外方側の側縁２２ａのほぼ全体が、略円弧状に横方向Ｘの内方側に湾曲している。フック材２２の横方向Ｘの内方側の側縁２２ｂは、縦方向Ｙと平行な略直線状になっている。
【００１７】
ループ材１３は、その外面側にフック材２２のフック構造が着脱自在に係合される複数のループ構造が設けられた略シート状の形態を有し、おむつ本体１１の外面側における前方側の部分に接着剤等の接合手段により接合される。このループ材１３には、左右のファスニング部材１２に付与されたフック材２２が着脱自在に係合される。
【００１８】
以上のように、本実施形態に係るおむつ１０では、左右のファスニング部材１２の構成において、ファスニング基材２１の上下の各舌片部２１２に設けられるフック材２２の横方向Ｘの外方側の側縁２２ａの少なくも一部が横方向Ｘの内方側に窪んでいる。それ故、ファスニング基材２１の各舌片部２１２の先端部に設けられるつまみ部２１３に、指でしっかりと掴むための十分な面積を確保できる。その結果、フック材２２で指等を傷めることなく、ファスニング基材２１の各舌片部２１２の先端部をしっかりと掴んでフック材２２の係合作業を行うことができる。
【００１９】
以下では、図３ないし図８を参照して、上述の図２に示すファスニング部材１２の変形例について説明する。図３に示す第１の変形例では、フック材２２の横方向Ｘの外方側の側縁２２ａの一部に、側縁２２ａの縦方向Ｙの中央を中心に、横方向Ｘの内方側に窪んだ窪み部２２ｃが設けられている。この窪み部２２ｃの形状は、角部に丸みが付けられた略矩形となっている。
【００２０】
図４に示す第２の変形例では、上記の第１の変形例に対し、窪み部２２ｃの形状が、略円弧状に湾曲した形状となっているとともに、フック材２２の横方向Ｘの内方側の側縁２２ｂも横方向Ｘの内方側に向けて張り出す略円弧の湾曲形状となっている。図５に示す第３の変形例では、フック材２２の横方向Ｘの外方側の側縁２２ａが横方向Ｘの内方側に向けて略Ｖ字形に窪んでいるとともに、横方向Ｘの内方側の側縁２２ｂも横方向Ｘの内方側に向けて略Ｖ字形に張り出している。
【００２１】
図６に示す第４の変形例では、ファスニング基材２１に１つのフック材２２が付与されるとともに、ファスニング基材２１におけるフック材２２の横方向Ｘの外方側の部分に１つのつまみ部２１３が設けられている。この変形例においても、フック材２２の横方向Ｘの外方側の側縁２２ａの略中央部に窪み部２２ｃが設けられている。図７に示す第５の変形例では、上記の図６に示す構成に対し、ファスニング基材２１のつまみ部２１３の外縁が、略矩形状になっている。
【００２２】
また、上述の図２ないし図６に示す構成では、フック材２２を裁断するときの裁断形状を調節することにより、フック材２の横方向Ｘの外方側の側縁２２ａの窪み形状を形成した。この点に関する変形例（第６の変形例）として、図８に示すように、フック材２２の肌面側の設けられたフック構造の一部を不活性化することにより、横方向Ｘの外方側の側縁２２ａの窪み形状等を実現するようにしてもよい。図８の符号２２ｄは、フック材２２のフック構造が不活性化された領域を示している。フック材２２のフック構造を不活性化する方法としては、例えば、加熱又は超音波によりフック構造の一部を溶融させながら押しつぶす方法、フック構造の一部をプレスにより押しつぶす方法、或いはフック構造の一部を擦り取る等して除去する方法などが挙げられる。
【符号の説明】
【００２３】
１０  おむつ、１１  おむつ本体、１２  ファスニング部材、１３  ループ材、２１  ファスニング基材、２１１  本体部、２１２  舌片部、２１３  つまみ部、２２  フック材、２２ａ，２２ｂ  側縁、２２ｃ  窪み部、Ｘ  横方向、Ｙ  縦方向。
【図１】
2011156309.tif 000003
【図２】
2011156309.tif 000004
【図３】
2011156309.tif 000005
【図４】
2011156309.tif 000006
【図５】
2011156309.tif 000007
【図６】
2011156309.tif 000008
【図７】
2011156309.tif 000009
【図８】
2011156309.tif 000010
【図９】
2011156309.tif 000011